(57)【要約】【課題】地絡の発生時に入力側コンデンサへの電荷のチャージを防ぐ。【解決手段】パワーコンディショナ１０は複数の直流電力変圧部１１と直交変換部１２と地絡検出部１４と制御部１５とを有する。直流電力変圧部１１の入力端子１６は太陽電池ストリング１８と接続する。複数の直流電力変圧部１１の出力端子１７は並列に接続する。直交変換部１２は直流電力を交流電力に変換する。地絡検出部１４は地絡電流に応じた判定用電流を検出する。地絡電流は複数の太陽電池ストリング１８の少なくとも一部において発生する。制御部１５は判定用電流に基づき地絡が発生していると判定するとき複数の直流電力変圧部１１の少なくとも一部のスイッチングのデューティ比を増加させる。【選択図】図１
2018057149.tif 000002
【特許請求の範囲】
【請求項１】
それぞれの入力端子が複数の太陽電池ストリングに別々に接続され、それぞれの出力端子が互いに並列に接続され、スイッチング方式により直流電力の電圧を調整する複数の直流電力変圧部と、
前記直流電力変圧部の出力端子から出力される直流電力を交流電力に変換する直交変換部と、
前記複数の太陽電池ストリングの少なくとも一部において発生する地絡電流に応じた判定用電流を、前記直流電力変圧部から出力される直流電力または前記直交変換部から出力される交流電力から検出する地絡検出部と、
前記判定用電流に基づき地絡が発生していると判定するときに、前記複数の直流電力変圧部の少なくとも一部のスイッチングのデューティ比を増加させる制御部とを備える
ことを特徴とするパワーコンディショナ。
【請求項２】
請求項１に記載のパワーコンディショナにおいて、
前記制御部は、前記デューティ比を段階的に増加させる
ことを特徴とするパワーコンディショナ。
【請求項３】
請求項１または２に記載のパワーコンディショナにおいて、
前記制御部は、
前記複数の直流電力変圧部の一部のデューティ比の増加を地絡特定用の変化として行い、
前記地絡特定用の変化に応じて前記判定用電流が減少方向に変化するとき、該一部の直流電力変圧部に接続される太陽電池ストリングが地絡状態であると判定する
ことを特徴とするパワーコンディショナ。
【請求項４】
請求項１に記載のパワーコンディショナにおいて、
前記制御部は、
前記判定用電流に基づき地絡が発生していると判定するときに、前記少なくとも一部のデューティ比を１に増加させ、
該少なくとも一部の中のさらに一部のデューティ比の減少を地絡特定用の変化として行い、
前記地絡特定用の変化に応じて前記判定用電流が増加方向に変化するとき、該一部の直流電力変圧部に接続される太陽電池ストリングが地絡状態であると判定する
ことを特徴とするパワーコンディショナ。
【請求項５】
請求項３または４に記載のパワーコンディショナにおいて、
前記制御部は、前記地絡特定用の変化中の前記判定用電流が第１の所定値に達するときに前記デューティ比の変化を停止する
ことを特徴とするパワーコンディショナ。
【請求項６】
請求項３から５の何れか１項に記載のパワーコンディショナにおいて、
前記制御部は、地絡状態であると判定した太陽電池ストリングを特定する情報を出力する
ことを特徴とするパワーコンディショナ。
【請求項７】
請求項３から６の何れか１項に記載のパワーコンディショナにおいて、
前記制御部は、前記地絡特定用の変化に応じて前記判定用電流が変化しないときに、前記デューティ比を増加させる前のデューティ比に戻す
ことを特徴とするパワーコンディショナ。
【請求項８】
請求項３から７の何れか１項に記載のパワーコンディショナにおいて、
前記制御部は、前記複数の直流電力変圧部の一部毎に、順番に前記地絡特定用の変化を行う
ことを特徴とするパワーコンディショナ。
【請求項９】
請求項８に記載のパワーコンディショナにおいて、
前記制御部は、順番に行った前記地絡特定用の変化に応じて前記判定用電流が複数の前記一部において変化するとき、前記判定用電流の変化が小さい直流電力変圧部の一部から、前記判定用電流が第２の所定値に到達するまで、前記デューティ比を増加させる前のデューティ比に戻す
ことを特徴とするパワーコンディショナ。
【請求項１０】
請求項３から９の何れか１項に記載のパワーコンディショナにおいて、
前記地絡特定用の変化を行う前記複数の直流電力変圧部の一部は、２以上の直流電力変圧部である
ことを特徴とするパワーコンディショナ。
【請求項１１】
請求項１０に記載のパワーコンディショナにおいて、
前記地絡特定用の変化を行う前記複数の直流電力変圧部の一部の数は、前記複数の直流電力変圧部のいずれかに接続される前記太陽電池ストリングの数と、複数の直流電力変圧部の一部のみの前記地絡特定用の変化に基づく太陽電池ストリングの地絡状態の判定にかかる時間との積を、前記判定用電流に基づき地絡が発生していると判定されるときに前記直交変換部による直流電力から交流電力への変換を停止させるまでの時間で割った数以上に定められている
ことを特徴とするパワーコンディショナ。
【請求項１２】
請求項１０または１１に記載のパワーコンディショナにおいて、
前記制御部は、
地絡状態であると判定した前記複数の直流電力変圧部の一部のデューティ比を１に固定した後に、
該一部の直流電力変圧部それぞれのデューティ比を順番に変化させ、前記判定用電流に基づいて、該直流電力変圧部それぞれの地絡状態の判定を行う
ことを特徴とするパワーコンディショナ。
【請求項１３】
請求項３から１２の何れか１項に記載のパワーコンディショナにおいて、
前記制御部は、
前記地絡特定用の変化を段階的に行い、
前記地絡特定用の変化の初期の変化段階に応じて前記判定用電流が変化するとき、前記複数の直流電力変圧部の一部のデューティ比を１に固定する
ことを特徴とするパワーコンディショナ。
【請求項１４】
それぞれの入力端子が複数の太陽電池ストリングに別々に接続され、それぞれの出力端子が互いに並列に接続され、スイッチング方式により直流電力の電圧を調整する複数の直流電力変圧部と、前記直流電力変圧部の出力端子から出力される直流電力を交流電力に変換する直交変換部とを有するパワーコンディショナの制御方法であって、
前記複数の太陽電池ストリングの少なくとも一部において発生する地絡電流に応じた判定用電流を、前記直流電力変圧部から出力される直流電力または前記直交変換部から出力される交流電力から検出する検出ステップと、
前記判定用電流に基づき地絡が発生していると判定するときに、前記複数の直流電力変圧部の少なくとも一部のスイッチングのデューティ比を増加させる増加ステップとを備える
ことを特徴とするパワーコンディショナの制御方法。
【発明の詳細な説明】
【技術分野】
【０００１】
本発明は、パワーコンディショナおよびパワーコンディショナの制御方法に関するものである。
【背景技術】
【０００２】
複数の太陽電池モジュールを接続する接続箱において、いずれかの太陽電池モジュールで地絡の発生を検出すると、いずれの太陽電池モジュールにおいて地絡の発生が生じているかを特定し、地絡が発生している太陽電池モジュールの直流開閉器を開くことが提案されている（特許文献１参照）。
【先行技術文献】
【特許文献】
【０００３】
【特許文献１】特開２００５−１６８１５６号公報
【発明の概要】
【発明が解決しようとする課題】
【０００４】
しかし、特許文献１においては、パワーコンディショナのＤＣ／ＤＣ変換部の入力側コンデンサのチャージ電荷が直流開閉器に逆流することでアーク放電が大きくなる可能性がある。また、特許文献1においては、地絡が発生している太陽電池モジュールの直流開閉器を開いたままとしても、当該太陽電池モジュールの送電線には電位が生じたままとなるので、太陽電池モジュールが修理されるまで感電事故等のリスクが放置されたままとなる。
【０００５】
従って、上記のような従来技術の問題点に鑑みてなされた本発明の目的は、地絡の発生時にパワーコンディショナのＤＣ／ＤＣ変換部の入力側コンデンサへの電荷のチャージを防ぎ、かつ地絡経路以外に電流を流すパワーコンディショナおよびパワーコンディショナの制御方法を提供することにある。
【課題を解決するための手段】
【０００６】
上述した諸課題を解決すべく、第１の観点によるパワーコンディショナは、
それぞれの入力端子が複数の太陽電池ストリングに別々に接続され、それぞれの出力端子が互いに並列に接続され、スイッチング方式により直流電力の電圧を調整する複数の直流電力変圧部と、
前記直流電力変圧部の出力端子から出力される直流電力を交流電力に変換する直交変換部と、
前記複数の太陽電池ストリングの少なくとも一部において発生する地絡電流に応じた判定用電流を、前記直流電力変圧部から出力される直流電力または前記直交変換部から出力される交流電力から検出する地絡検出部と、
前記判定用電流に基づき地絡が発生していると判定するときに、前記複数の直流電力変圧部の少なくとも一部のスイッチングのデューティ比を増加させる制御部とを備える
ことを特徴とするものである。
【０００７】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【０００８】
例えば、本発明の第２の観点を方法として実現させたパワーコンディショナの制御方法は、
それぞれの入力端子が複数の太陽電池ストリングに別々に接続され、それぞれの出力端子が互いに並列に接続され、スイッチング方式により直流電力の電圧を調整する複数の直流電力変圧部と、前記直流電力変圧部の出力端子から出力される直流電力を交流電力に変換する直交変換部とを有するパワーコンディショナの制御方法であって、
前記複数の太陽電池ストリングの少なくとも一部において発生する地絡電流に応じた判定用電流を、前記直流電力変圧部から出力される直流電力または前記直交変換部から出力される交流電力から検出する検出ステップと、
前記判定用電流に基づき地絡が発生していると判定するときに、前記複数の直流電力変圧部の少なくとも一部のスイッチングのデューティ比を増加させる増加ステップとを備える
ことを特徴とするものである。
【発明の効果】
【０００９】
上記のように構成された本発明に係るパワーコンディショナおよびパワーコンディショナの制御方法によれば、自身のＤＣ／ＤＣ変換部の入力側コンデンサへの電荷のチャージを防ぎ、かつ地絡経路以外に電流を流し得る。
【図面の簡単な説明】
【００１０】
【図１】第１の実施形態に係るパワーコンディショナの概略構成を示す機能ブロック図である。
【図２】図１の直流電力変圧部の概略構成を示す機能ブロック図である。
【図３】第１の実施形態においてパワーコンディショナの制御部が実行する、地絡判定処理を説明するためのフローチャートである。
【図４】第２の実施形態においてパワーコンディショナの制御部が実行する、地絡判定処理を説明するためのフローチャートである。
【図５】第３の実施形態においてパワーコンディショナの制御部が実行する、地絡判定処理を説明するための第１のフローチャートである。
【図６】第３の実施形態においてパワーコンディショナの制御部が実行する、地絡判定処理を説明するための第２のフローチャートである。
【発明を実施するための形態】
【００１１】
以下、本発明を適用したパワーコンディショナの実施形態について、図面を参照して説明する。
【００１２】
図１に示すように、第１の実施形態に係るパワーコンディショナ１０は、複数の直流電力変圧部１１、直交変換部１２、系統連系リレー１３、地絡検出部１４、および制御部１５を含む。なお、本実施形態のパワーコンディショナ１０の出力は単相３線式であるが、出力の形式はこれに限らず、例えば、単相２線式、または３相式であってもよい。
【００１３】
以後の図において、各機能ブロックを結ぶ実線は、電力の流れを示す。また、図１において、各機能ブロックを結ぶ破線は、制御信号または通信される情報の流れを示す。破線が示す通信は有線通信であってもよいし、無線通信であってもよい。
【００１４】
複数の直流電力変圧部１１は、それぞれ入力端子１６および出力端子１７を有する。それぞれの入力端子１６は、複数の太陽電池ストリング１８に別々に接続されている。それぞれの出力端子１７は互いに並列に接続され、直交変換部１２に接続されている。
【００１５】
図２に示すように、直流電力変圧部１１は、例えば、ＤＣ／ＤＣコンバータである。直流電力変圧部１１は、入力キャパシタ１９、ＤＣリアクトル２０、スイッチング素子２１、ダイオード２２、および中間リンクキャパシタ２３を有する。直流電力変圧部１１は、スイッチング方式により直流電力の電圧を調整する。
【００１６】
直流電力変圧部１１は、入力端子１６から出力端子１７まで、入力キャパシタ１９、ＤＣリアクトル２０、スイッチング素子２１、ダイオード２２、および中間リンクキャパシタ２３が設けられる。また、直流電力変圧部１１において、入力キャパシタ１９、スイッチング素子２１、および中間リンクキャパシタ２３は、並列に接続されている。また、直流電力変圧部１１において、ＤＣリアクトル２０およびダイオード２２は直列に接続されている。
【００１７】
入力キャパシタ１９および中間リンクキャパシタ２３は、例えば電解コンデンサであるが、これに限られない。また、スイッチング素子２１は、例えば、半導体スイッチング素子および還流ダイオードを含むものであるが、これに限られない。
【００１８】
スイッチング素子２１は、制御部１５から出力される制御信号のデューティ比で通電と遮断とを切替える。スイッチング素子２１はデューティ比が１のとき短絡状態である。
【００１９】
図１において、直交変換部１２は、例えば、インバータである。直交変換部１２は、直流電力変圧部１１の出力端子１７から出力される直流電力を、交流電力に変換する。直交変換部１２は、交流電力の周波数などを、制御部１５の制御に基づいて、所望の周波数に調整する。直交変換部１２は、変換した交流電力を分電盤２４に出力する。
【００２０】
系統連系リレー１３は、直交変換部１２および分電盤２４の間に設けられる。系統連系リレー１３は、制御部１５の制御指令に基づいて、系統連系および系統解列を切替える。
【００２１】
地絡検出部１４は、例えば、電線の設置後に取り付け可能な分割式のクランプセンサである。地絡検出部１４は、直流電力変圧部１１よりも出力側、換言すると、分電盤２４側のどこに設けられていてもよい。本実施形態においては、直交変換部１２および系統連系リレー１３の間に設けられている。
【００２２】
地絡検出部１４には、直流電力変圧部１１から分電盤２４に延びる電線が挿通されている。本実施形態では、地絡検出部１４には、例えば、直交変換部１２から分電盤２４に流れるＵ相、Ｏ相、およびＷ相の電線が挿通されている。また、直流電力変圧部１１から直交変換部１２の間のように、二線式の場合には、地絡検出部１４には電流の往路および復路の電線が挿通される。
【００２３】
地絡検出部１４は、挿通される電線に流れる差電流を、判定用電流として検出する。地絡検出部１４は、判定用電流を制御部１５に信号として通知する。なお、クランプセンサで検出される瞬時電流値は電圧値の形態なので、制御部１５において電流値に変換される。判定用電流は、太陽電池ストリング１８に地絡が発生するときの地絡電流に応じて変動する。
【００２４】
制御部１５は、専用のマイクロプロセッサ、または汎用のＣＰＵに特定の機能を実行するプログラムを読み込ませることによって構成される。制御部１５は、前述のように、直流電力変圧部１１のデューティ比を調整することにより、出力する直流電力の電圧を調整する。また、制御部１５は、直交変換部１２における直交変換を制御し、出力する交流電力の周波数などを調整する。また、制御部１５は、パワーコンディショナ１０および太陽電池ストリング１８の異常を検知したときに、系統連系リレー１３を制御して、パワーコンディショナ１０を分電盤２４（換言すれば電力系統）から解列する。これにより、太陽電池ストリング１８と交流電力間の地絡が遮断される。
【００２５】
また、制御部１５は、判定用電流に基づいて、複数の太陽電池ストリング１８の少なくとも一部に地絡が発生しているか否かを判定する。制御部１５は、地絡が発生していると判定すると、直流電力変圧部１１の少なくとも一部のスイッチング素子２１のデューティ比を、１に向けて、地絡特定用の変化として、増加させる。デューティ比を増加させることで太陽電池ストリング１８の両極間の抵抗値が減少し、地絡の抵抗値が相対的に大きくなることで地絡電流が減少する。
【００２６】
制御部１５は、地絡特定用の変化としてのデューティ比の増加を、複数の直流電力変圧部１１に対して個別に順番に行わせる。制御部１５は、デューティ比の増加を瞬間的に行ってもよいし、段階的に行ってもよい。
【００２７】
制御部１５は、デューティ比の増加に応じて、判定用電流の値が減少方向に変化するか否かを判定する。制御部１５は、減少方向への変化を検出するとき、デューティ比を増加させている直流電力変圧部１１に対応する太陽電池ストリング１８が地絡状態であると判定する。
【００２８】
制御部１５は、段階的にデューティ比を増加させている間に、判定用電流が第１の所定値以下に達するとき、デューティ比の増加を停止する。なお、第１の所定値は、地絡状態でないとみなせる地絡電流値に対応する判定用電流の値である。あるいは、制御部１５は、段階的なデューティ比の増加の初期の変化段階に応じて、判定用電流の変化を検出するとき、デューティ比を１に固定する。なお、地絡状態でないとみなせる地絡電流値とは予め設定された地絡電流の許容値である。
【００２９】
制御部１５は、地絡状態であると判定した太陽電池ストリング１８を特定する情報を作成する。太陽電池ストリング１８を特定する情報は、例えば、太陽電池ストリング１８の識別情報、モニタに表示する警告画像情報、および音声で報知する音声情報などである。制御部１５は作成した当該情報を、電力管理装置、モニタ、およびスピーカなどに送信する。なお、電力管理装置、モニタ、およびスピーカは、パワーコンディショナ１０を設けた需要家の敷地内に設けられている。または、制御部１５は、作成した当該情報を、パワーコンディショナ１０又は太陽電池ストリング１８の保守を請け負う事業者のサーバなどに、外部ネットワークを介して送信する。
【００３０】
制御部１５は、地絡状態でないと判定した太陽電池ストリング１８が接続されている直流電力変圧部１１のデューティ比を、地絡特定用の変化前のデューティ比に戻す。なお、地絡状態でないことは、地絡特定用の変化としてのデューティ比の増加に対して、判定用電流の変化が無いときに、判定される。
【００３１】
制御部１５は、複数の太陽電池ストリング１８が地絡状態であると判定するとき、デューティ比を１に変化させたときの判定用電流の変化が大きな直流電力変圧部１１の順番で、デューティ比を１に固定する。制御部１５は、複数の直流電力変圧部１１に対するデューティ比を１に固定する間に、判定用電流の値が第２の所定値以下に到達するときに、残りの直流電力変圧部１１のデューティ比の増加を停止する。なお、第２の所定値は、地絡が発生していないとみなせる地絡電流の値に対応する判定用電流の値であって、第１の所定値と同じ値であってもよい。
【００３２】
次に、第１の実施形態においてパワーコンディショナ１０の制御部１５が実行する、地絡判定処理について、図３のフローチャートを用いて説明する。地絡判定処理は、地絡検出部１４に検出される判定用電流に基づいて地絡の発生を検出したとき、例えば第１の所定値を超えるときに開始する。
【００３３】
ステップＳ１００において、制御部１５は、太陽電池ストリング１８に接続されている直流電力変圧部１１の中で、予め定められた順番の最初の直流電力変圧部１１に対するデューティ比を増加させる。デューティ比を増加させると、プロセスはステップＳ１０１に進む。
【００３４】
ステップＳ１０１では、制御部１５は、判定用電流が減少するか否かを判定する。判定用電流が減少しないとき、プロセスはステップＳ１０２に進む。判定用電流が減少するとき、プロセスはステップＳ１０３に進む。
【００３５】
ステップＳ１０２では、制御部１５は、ステップＳ１００またはＳ１０７における増加前のデューティ比に戻す。デューティ比を戻すと、プロセスはステップＳ１０６に進む。
【００３６】
ステップＳ１０３にでは、制御部１５は、ステップＳ１０１において減少している判定用電流の減少量を、制御部１５が有するメモリに記憶させる。減少量の記憶は、デューティ比が１に到達した時点の値を記憶する。減少量を記憶すると、プロセスはステップＳ１０４に進む。
【００３７】
ステップＳ１０４では、制御部１５は、デューティ比を１に固定する。デューティ比を１に固定すると、プロセスはステップＳ１０５に進む。
【００３８】
ステップＳ１０５では、制御部１５は、直近のステップＳ１０１において判定用電流の減少が検出された直流電力変圧部１１に接続された太陽電池ストリング１８を特定する情報を作成し、送信する。特定する情報の送信後、プロセスはステップＳ１０６に進む。
【００３９】
ステップＳ１０６では、制御部１５は、太陽電池ストリング１８に接続されているすべての直流電力変圧部１１に対して、地絡状態が判定済みであるか否かを判定する。すべての直流電力変圧部１１の判定が終了していないとき、プロセスはステップＳ１０７に進む。判定済みであるとき、プロセスはステップＳ１０８に進む。
【００４０】
ステップＳ１０７では、制御部１５は、太陽電池ストリング１８に接続されている直流電力変圧部１１の中で、予め定められた順番の次の直流電力変圧部１１に対するデューティ比を増加させる。デューティ比を増加させると、プロセスはステップＳ１０１に戻る。
【００４１】
ステップＳ１０８では、制御部１５は、ステップＳ１０３において記憶した判定用電流の減少量の小さな順番から減少量を足合わせ、合計が第２の所定値を超えるときに、足合わせを終了する。制御部１５は、合計が第２の所定値以上となった時点で足合わせられた減少量の判定用電流に対応する直流電力変圧部１１と、まだ足し合わせられていない残りの直流電力変圧部１１とのデューティ比を１のまま固定することを決定する。決定すると、プロセスはステップＳ１０９に進む。このプロセスにより、地絡電流の少ない太陽電池ストリング１８をより多く発電を継続させることができる。
【００４２】
ステップＳ１０９では、制御部１５は、ステップＳ１０８においてデューティ比の固定を決定された直流電力変圧部１１以外の直流電力変圧部１１のデューティ比を、ステップＳ１００またはＳ１０７における増加前のデューティ比に戻す。デューティ比を戻すと、地絡判定処理を終了する。
【００４３】
以上のような構成の第１の実施形態のパワーコンディショナ１０では、地絡が発生していると判定するときに、直流電力変圧部１１のデューティ比を増加させている。したがって、直流電力変圧部１１のスイッチング素子２１と並列に接続される入力キャパシタ１９への電荷のチャージが防がれる。また、地絡状態である太陽電池ストリング１８が接続される直流電力変圧部１１において、スイッチング素子２１のデューティ比を増加させることにより当該太陽電池ストリング１８は短絡状態に近付く。したがって、当該太陽電池ストリング１８から、地絡経路以外の経路（具体的には、太陽電池ストリング１８と直流電力変圧部１１の閉回路）に電流が誘導され得る。また、本実施形態のように、デューティ比を増加させる構成によれば、系統連系リレー１３、または遮断器を設けた太陽電池ストリング１８における当該遮断器を用いて分電盤２４への電力供給を停止する構成に比べて、遮断動作音による騒音の発生が防がれる。
【００４４】
また、第１の実施形態のパワーコンディショナ１０によれば、デューティ比の増加に応じて判定用電流が減少するときに、デューティ比を増加させた直流電力変圧部１１が接続される太陽電池ストリング１８が地絡状態であると判定される。したがって、地絡状態である太陽電池ストリング１８が容易に特定され得る。
【００４５】
また、第１の実施形態のパワーコンディショナ１０によれば、地絡状態であると判定した太陽電池ストリング１８を特定する情報を作成し、出力される。したがって、需要家またはパワーコンディショナ１０又は太陽電池ストリング１８の保守を行う事業者などが、検査すること無く、地絡状態の太陽電池ストリング１８を把握可能となる。
【００４６】
また、第１の実施形態のパワーコンディショナ１０によれば、段階的にデューティ比を増加させている間に判定用電流が第１の所定値に達するとき直流電力変圧部１１のデューティ比の増加を停止する。地絡状態でないとみなせる地絡電流値にさせるデューティ比で増加を停止することにより、デューティ比を１まで増加させることなく、１つの直流電力変圧部１１の調整が終了する。したがって、１つの直流電力変圧部１１の地絡状態の判定および駆動の変更にかかる時間が短縮され得る。
【００４７】
あるいは、第１の実施形態のパワーコンディショナ１０によれば、段階的なデューティ比の増加の初期の変化段階に応じて、判定用電流の変化を検出するとき、デューティ比を１に固定する。このような構成により、デューティ比を段階的に１まで増加させることなく、１つの直流電力変圧部１１の調整が終了する。したがって、１つの直流電力変圧部１１の地絡状態の判定および駆動の変更にかかる時間が短縮され得る。
【００４８】
また、第１の実施形態のパワーコンディショナ１０によれば、地絡状態でないと判定された太陽電池ストリング１８に接続される直流電力変圧部１１のデューティ比が、増加前のデューティ比に戻される。したがって、地絡状態でない太陽電池ストリング１８が発電する電力の供給を継続し得る。
【００４９】
また、第１の実施形態のパワーコンディショナ１０によれば、複数の直流電力変圧部１１のデューティ比が順番に増加されるので、いずれの直流電力変圧部１１に接続された太陽電池ストリング１８が地絡状態であるか判定可能である。
【００５０】
また、第１の実施形態のパワーコンディショナ１０によれば、デューティ比の増加に応じた判定用電流の減少量の小さな直流電力変圧部１１から順番に、判定用電流が第２の所定値に到達するまでデューティ比を元に戻し、それ以外の直流電力変圧部１１のデューティ比は１に固定され得る。このような構成によれば、補修すべき地絡が発生している太陽電池ストリング１８のみからの電力供給を停止させながら、地絡電流が規定値以下の太陽電池ストリング１８の電力供給を継続し得る。
【００５１】
次に、本発明の第２の実施形態に係るパワーコンディショナ１０について説明する。第２の実施形態では制御部１５が行う制御が第１の実施形態と異なっている。以下に、第１の実施形態と異なる点を中心に第２の実施形態について説明する。なお、第１の実施形態と同じ構成を有する部位には同じ符号を付す。
【００５２】
図１に示すように、第２の実施形態に係るパワーコンディショナ１０は、複数の直流電力変圧部１１、直交変換部１２、系統連系リレー１３、地絡検出部１４、および制御部１５を含む。複数の直流電力変圧部１１、直交変換部１２、系統連系リレー１３、および地絡検出部１４の構成および機能は、第１の実施形態と同様である。
【００５３】
第２の実施形態において、制御部１５は、第１の実施形態と同様に、直流電力変圧部１１のデューティ比を調整することにより、出力する直流電力の電圧を調整する。また、制御部１５は、直交変換部１２における直交変換を制御し、出力する交流電力の周波数などを調整する。また、制御部１５は、パワーコンディショナ１０および太陽電池ストリング１８の異常を検知したときに、系統連系リレー１３を制御して、パワーコンディショナ１０を分電盤２４から解列する。また、制御部１５は、判定用電流に基づいて、複数の太陽電池ストリング１８の少なくとも一部に地絡が発生しているか否かを判定する。
【００５４】
第１の実施形態と異なり、地絡が発生していると判定すると、制御部１５は、複数の直流電力変圧部１１のデューティ比を１に増加させて、固定する。さらに、制御部１５は、複数の直流電力変圧部１１のデューティ比を０に向けて、地絡特定用の変化として、減少させる。
【００５５】
制御部１５は、地絡特定用の変化としてのデューティ比の減少を、複数の直流電力変圧部１１を個別に順番に行わせる。制御部１５は、デューティ比の減少を瞬間的に行ってもよいし、段階的に行ってもよい。
【００５６】
制御部１５は、デューティ比の減少に応じて、地絡検出部１４が検出する判定用電流の値が増加方向に変化するか否かを判定する。制御部１５は、増加方向の変化を検出するとき、デューティ比を減少させている直流電力変圧部１１に対応する太陽電池ストリング１８が地絡状態であると判定する。
【００５７】
制御部１５は、段階的にデューティ比を減少させている間に、判定用電流が第１の所定値に達するとき、デューティ比の減少を停止する。あるいは、制御部１５は、段階的なデューティ比の減少の初期の変化段階に応じて、判定用電流の変化を検出するとき、デューティ比を１に固定する。
【００５８】
制御部１５、第１の実施形態と同様に、地絡状態であると判定した太陽電池ストリング１８を特定する情報を作成する。制御部１５は作成した当該情報を、電力管理装置、モニタ、およびスピーカなどに送信する。または、制御部１５は、作成した当該情報を、サーバなどに、外部ネットワークを介して送信する。
【００５９】
制御部１５は、地絡状態でないと判定した太陽電池ストリング１８が接続されている直流電力変圧部１１のデューティ比を、増加前のデューティ比に戻す。
【００６０】
制御部１５は、複数の太陽電池ストリング１８が地絡状態であると判定するとき、判定用電流の変化が止まるまでの値の増加量が大きな直流電力変圧部１１の順番で、デューティ比を１に固定する。制御部１５は、複数の直流電力変圧部１１に対するデューティ比を１に固定する間に判定用電流の値が第２の所定値以下に到達するときに、残りの直流電力変圧部１１のデューティ比の１への固定を停止する。
【００６１】
次に、第２の実施形態においてパワーコンディショナ１０の制御部１５が実行する、地絡判定処理について、図４のフローチャートを用いて説明する。地絡判定処理は、判定用電流に基づいて地絡の発生を検出したとき、例えば第１の所定値を超えるときに開始する。
【００６２】
ステップＳ２００において、制御部１５は、太陽電池ストリング１８に接続されているすべての直流電力変圧部１１のデューティ比を１に固定する。デューティ比を固定すると、プロセスはステップＳ２０１に進む。
【００６３】
ステップＳ２０１では、制御部１５は、ステップＳ２００においてデューティ比を固定した直流電力変圧部１１の中で、予め定められた順番の最初の直流電力変圧部１１に対するデューティ比を減少させる。デューティ比を減少させると、プロセスはステップＳ２０２に進む。
【００６４】
ステップＳ２０２では、制御部１５は、判定用電流が増大するか否かを判定する。判定用電流が増大しないとき、プロセスはステップＳ２０３に進む。判定用電流が増大するとき、プロセスはステップＳ２０４に進む。
【００６５】
ステップＳ２０３では、制御部１５は、ステップＳ２００における増加前のデューティ比に戻す。デューティ比を戻すと、プロセスはステップＳ２０７に進む。
【００６６】
ステップＳ２０４にでは、制御部１５は、ステップＳ２０２において増大している判定用電流の増大量を、制御部１５が有するメモリに記憶させる。増大量の記憶は、デューティ比が０、またはステップＳ２００における増加前のデューティ比に到達した時点の値を記憶する。増大量を記憶すると、プロセスはステップＳ２０５に進む。
【００６７】
ステップＳ２０５では、制御部１５は、デューティ比を１に固定する。デューティ比を１に固定すると、プロセスはステップＳ２０６に進む。
【００６８】
ステップＳ２０６では、制御部１５は、直近のステップＳ２０２において判定用電流が増大した直流電力変圧部１１に接続された太陽電池ストリング１８を特定する情報を作成し、送信する。特定する情報の送信後、プロセスはステップＳ２０７に進む。
【００６９】
ステップＳ２０７では、制御部１５は、太陽電池ストリング１８に接続されているすべての直流電力変圧部１１に対して、地絡状態が判定済みであるか否かを判定する。すべての直流電力変圧部１１の判定が終了していないとき、プロセスはステップＳ２０８に進む。判定済みであるとき、プロセスはステップＳ２０９に進む。
【００７０】
ステップＳ２０８では、制御部１５は、太陽電池ストリング１８に接続されている直流電力変圧部１１の中で、予め定められた順番の次の直流電力変圧部１１に対するデューティ比を減少させる。デューティ比を減少させると、プロセスはステップＳ２０２に戻る。
【００７１】
ステップＳ２０９では、制御部１５は、ステップＳ２０４において記憶した判定用電流の増大量の小さな順番から増大量を足合わせ、合計が第２の所定値を超えるときに、足合わせを終了する。制御部１５は、合計が第２の所定値以上となった時点で足合わせられた増大量の判定用電流に対応する直流電力変圧部１１と、まだ足し合わせられていない残りの直流電力変圧部１１とのデューティ比を１のまま固定することを決定する。決定すると、プロセスはステップＳ２１０に進む。このプロセスにより、地絡電流の少ない太陽電池ストリング１８をより多く発電を継続させることができる。
【００７２】
ステップＳ２１０では、制御部１５は、ステップＳ２０９においてデューティ比の固定を決定された直流電力変圧部１１以外の直流電力変圧部１１のデューティ比を、ステップＳ２００における増加前のデューティ比に戻す。デューティ比を戻すと、地絡判定処理を終了する。
【００７３】
以上のような構成の第２の実施形態のパワーコンディショナ１０によっても、地絡が発生していると判定するときに、直流電力変圧部１１のデューティ比を増加させている。また、第２の実施形態のパワーコンディショナ１０によっても、デューティ比の減少に応じて判定用電流が増大するときに、デューティ比を増加させた直流電力変圧部１１が接続される太陽電池ストリング１８が地絡状態であると判定される。また、第２の実施形態のパワーコンディショナ１０によっても、地絡状態であると判定した太陽電池ストリング１８を特定する情報を作成し、出力される。また、第２の実施形態のパワーコンディショナ１０によっても、段階的にデューティ比を減少させている間に判定用電流が第１の所定値に達するとき直流電力変圧部１１のデューティ比の減少を停止する。あるいは、第２の実施形態のパワーコンディショナ１０によっても、段階的なデューティ比の減少の初期の変化段階に応じて、判定用電流の変化を検出するとき、デューティ比を１に固定する。また、第２の実施形態のパワーコンディショナ１０によっても、地絡状態でないと判定された太陽電池ストリング１８に接続される直流電力変圧部１１のデューティ比が、増加前のデューティ比に戻される。また、第２の実施形態のパワーコンディショナ１０によっても、複数の直流電力変圧部１１のデューティ比が順番に減少されるので、いずれの直流電力変圧部１１に接続された太陽電池ストリング１８が地絡状態であるか判定可能である。また、第２の実施形態のパワーコンディショナ１０によっても、デューティ比の増加に応じた判定用電流の減少量の小さな直流電力変圧部１１から順番に、判定用電流が第２の所定値に到達するまでデューティ比を元に戻し、それ以外の直流電力変圧部１１のデューティ比は１に固定され得る。
【００７４】
次に、本発明の第３の実施形態に係るパワーコンディショナ１０について説明する。第３の実施形態では制御部１５が行う制御が第１の実施形態および第２の実施形態と異なっている。以下に、第１の実施形態の制御を基に、それと異なる点を中心に第３の実施形態について説明する。なお、第１の実施形態と同じ構成を有する部位には同じ符号を付す。
【００７５】
図１に示すように、第３の実施形態に係るパワーコンディショナ１０は、複数の直流電力変圧部１１、直交変換部１２、系統連系リレー１３、地絡検出部１４、および制御部１５を含む。複数の直流電力変圧部１１、直交変換部１２、系統連系リレー１３、および地絡検出部１４の構成および機能は、第１の実施形態と同様である。
【００７６】
第３の実施形態においては、第１の実施形態に比べて多くの太陽電池ストリング１８が直流電力変圧部１１に接続されている。太陽電池ストリング１８の数については、以下に説明する。
【００７７】
第３の実施形態においては、地絡状態の検出後に地絡状態が継続する場合に、直交変換部１２の直交変換の強制停止および連系系統リレーを強制解列させるまでの制限時間Ｔsdが予め定められている。また、後述する、第１の実施形態と同様の、デューティ比を増加させることによる１回当りの地絡判定にかかる時間Ｔdが、地絡検出部１４および制御部１５の仕様などにより予め定まっている。第３の実施形態において、パワーコンディショナ１０に接続される太陽電池ストリング１８の数は、制限時間Ｔsdを１回当りの地絡判定にかかる時間Ｔdで除したＴsd／Ｔd以上である。
【００７８】
第３の実施形態において、制御部１５は、第１の実施形態と同様に、直流電力変圧部１１のデューティ比を調整することにより、出力する直流電力の電圧を調整する。また、制御部１５は、直交変換部１２における直交変換を制御し、出力する交流電力の周波数などを調整する。また、制御部１５は、パワーコンディショナ１０および太陽電池ストリング１８の異常を検知したときに、系統連系リレー１３を制御して、太陽電池ストリング１８を分電盤２４から解列する。また、制御部１５は、判定用電流に基づいて、パワーコンディショナ１０に接続される複数の太陽電池ストリング１８の少なくとも一部に地絡が発生しているか否かを判定する。
【００７９】
第１の実施形態と異なり、制御部１５は、地絡が発生していると判定すると、複数の直流電力変圧部１１を複数の組に分け、組毎に順番に、地絡特定用の変化としてのデューティ比の増加を行わせる。すなわち、制御部１５は、２以上の直流電力変圧部１１毎に、デューティ比の増加を行わせる。なお、組の数は、前述のＴsd／Ｔd以下である。したがって、１つの組に分けられる直流電力変圧部１１の数は、は、以下の（１）式により計算される最低割当数Ｎcである。Ｎcは整数であり、端数が生じる場合には、一部の組をＮc以上として調整する。
【００８０】
【数１】
2018057149.tif 000003
【００８１】
（１）式において、Ｎpvは、直流電力変圧部１１に接続される太陽電池ストリング１８の数である。
【００８２】
制御部１５は、デューティ比の増加に応じて、判定用電流の値が減少方向に変化するか否かを、組単位で判定する。制御部１５は、減少方向の変化を検出するとき、デューティ比を増加させている直流電力変圧部１１に対応する太陽電池ストリング１８が地絡状態であると、組単位で判定する。
【００８３】
制御部１５は、段階的にデューティ比を増加させている間に、判定用電流が第１の所定値に達するとき、組単位のデューティ比の増加を停止する。あるいは、制御部１５は、段階的なデューティ比の増加の初期の変化段階に応じて、判定用電流の変化を検出するとき、組単位でデューティ比を１に固定する。
【００８４】
制御部１５は、地絡状態でないと判定した太陽電池ストリング１８接続されている直流電力変圧部１１のデューティ比を、組単位で地絡特定用の変化前のデューティ比に戻す。
【００８５】
制御部１５は、地絡が発生していると判定した組単位でデューティ比を１に固定する制御を実行し、前述の制限時間Ｔsdの経過後に、デューティ比を１に固定した組内での地絡判定を行う。地絡判定のために、制御部１５は、デューティ比を１に固定した組があるとき、組毎に全直流電力変圧部１１のデューティ比を増加前のデューティ比に戻す。なお、このとき、組内を新たに複数の組に細分化して、新たな組毎の判定時間に余裕を持たせてもよい。
【００８６】
次に、制御部１５は、デューティ比の増加を、当該組内の複数の直流電力変圧部１１に対して個別に順番に行わせる。制御部１５は、デューティ比の増加に応じた判定用電流の値の減少に基づいて、組内の各直流電力変圧部１１に対応する太陽電池ストリング１８の地絡状態を判定する。
【００８７】
制御部１５は、地絡状態であると判定した太陽電池ストリング１８に対応する直流電力変圧部１１のデューティ比を増加させる。また、制御部１５は、地絡状態でないと判定した太陽電池ストリング１８に対応する直流電力変圧部１１のデューティ比を増加前のデューティ比に戻す。制御部１５は、組毎に、地絡状態の判定および判定結果に基づくデューティ比の調整を行う。
【００８８】
第１の実施形態と同様に、制御部１５は、地絡状態であると判定した太陽電池ストリング１８を特定する情報を作成する。制御部１５は作成した当該情報を、電力管理装置、モニタ、およびスピーカなどに送信する。または、制御部１５は、作成した当該情報を、サーバなどに、外部ネットワークを介して送信する。
【００８９】
すべての太陽電池ストリング１８の地絡状態の判定後、第１の実施形態と同様に、制御部１５は、複数の太陽電池ストリング１８が地絡状態であると判定するとき、デューティ比を１に変化させたときの判定用電流の変化が小さな直流電力変圧部１１の順番で、デューティ比を元に戻してよい。制御部１５は、複数の直流電力変圧部１１に対するデューティ比を元に戻す間に判定用電流の値が第２の所定値以上に到達するときに、残りの直流電力変圧部１１のデューティ比を元に戻すことを停止する。
【００９０】
次に、第３の実施形態においてパワーコンディショナ１０の制御部１５が実行する、地絡判定処理について、図５、６のフローチャートを用いて説明する。地絡判定処理は、判定用電流に基づいて地絡の発生を検出したとき、例えば第１の所定値を超えるときに開始する。
【００９１】
ステップＳ３００において、制御部１５は、複数の直流電力変圧部１１を複数の組に分ける。また、制御部１５は、最初の組の全直流電力変圧部１１に対するデューティ比を増加させる。デューティ比を増加させると、プロセスはステップＳ３０１に進む。
【００９２】
ステップＳ３０１では、制御部１５は、判定用電流が減少するか否かを判定する。判定用電流が減少しないとき、プロセスはステップＳ３０２に進む。判定用電流が減少するとき、プロセスはステップＳ３０３に進む。
【００９３】
ステップＳ３０２では、制御部１５は、ステップＳ３００またはＳ３０５における増加前のデューティ比に戻す。デューティ比を戻すと、プロセスはステップＳ３０４に進む。
【００９４】
ステップＳ３０３では、制御部１５は、デューティ比を増加させた組の直流電力変圧部１１に対するデューティ比を１に固定する。デューティ比を１に固定すると、プロセスはステップＳ３０４に進む。
【００９５】
ステップＳ３０４では、制御部１５は、すべての組において直流電力変圧部１１の地絡状態が判定済みであるか否かを判定する。すべての組における判定が終了していないとき、プロセスはステップＳ３０５に進む。判定済みであるとき、プロセスはステップＳ３０６に進む。
【００９６】
ステップＳ３０５では、制御部１５は、太陽電池ストリング１８に接続されている直流電力変圧部１１の中で、予め定められた順番の次の組の直流電力変圧部１１に対するデューティ比を増加させる。デューティ比を増加させると、プロセスはステップＳ３０１に戻る。
【００９７】
ステップＳ３０６では、制御部１５は、ステップＳ３０３においてデューティ比を１に固定した組の中で、最初の組の全直流電力変圧部１１のデューティ比をステップＳ３００またはステップＳ３０５における増加前のデューティ比に戻す。デューティ比を戻すと、プロセスはステップＳ３０７に進む。なお、最初の組とは、ステップＳ３００における組分け時に各組に付される序数が最も小さい組であるが、順不同で実行してもよい。
【００９８】
ステップＳ３０７では、制御部１５は、ステップＳ３０６においてデューティ比を戻した組の中で最初の直流電力変圧部１１のデューティ比を増加させる。デューティ比を増加させると、プロセスはステップＳ３０８に進む。
【００９９】
ステップＳ３０８では、制御部１５は、判定用電流が減少するか否かを判定する。判定用電流が減少しないとき、プロセスはステップＳ３０９に進む。判定用電流が減少するとき、プロセスはステップＳ３１０に進む。
【０１００】
ステップＳ３０９では、制御部１５は、ステップＳ３００またはＳ３０５における増加前のデューティ比に戻す。ステップＳ３００とＳ３０５は組のデューティ比であるとともに、各直流電力変圧部１１のデューティ比でもある。デューティ比を戻すと、プロセスはステップＳ３１３に進む。
【０１０１】
ステップＳ３１０にでは、制御部１５は、ステップＳ３０８において減少している判定用電流の減少量を、制御部１５が有するメモリに記憶させる。減少量の記憶は、デューティ比が１に到達した時点の値を記憶する。減少量を記憶すると、プロセスはステップＳ３１１に進む。
【０１０２】
ステップＳ３１１では、制御部１５は、デューティ比を１に固定する。デューティ比を１に固定すると、プロセスはステップＳ３１２に進む。
【０１０３】
ステップＳ３１２では、制御部１５は、直近のステップＳ３０８において判定用電流が減少した直流電力変圧部１１に接続された太陽電池ストリング１８を特定する情報を作成し、送信する。特定する情報の送信後、プロセスはステップＳ３１３に進む。
【０１０４】
ステップＳ３１３では、制御部１５は、ステップＳ３０６または後述するＳ３１６においてデューティ比を戻した組の全直流電力変圧部１１の地絡状態が判定済みであるか否かを判定する。すべての直流電力変圧部１１の判定が終了していないとき、プロセスはステップＳ３１４に進む。判定済みであるとき、プロセスはステップＳ３１５に進む。
【０１０５】
ステップＳ３１４では、制御部１５は、ステップＳ３０７または後述するＳ３１６においてデューティ比を戻した組の中で、予め定められた順番の次の直流電力変圧部１１に対するデューティ比を増加させる。デューティ比を増加させると、プロセスはステップＳ３０８に戻る。
【０１０６】
ステップＳ３１５では、制御部１５は、ステップＳ３０３においてデューティ比を１に固定したすべての組の直流電力変圧部１１の地絡状態が判定済みであるか否かを判定する。すべての組の直流電力変圧部１１の判定が終了していないとき、プロセスはステップＳ３１６に進む。判定済みあるとき、プロセスはステップＳ３１７に進む。
【０１０７】
ステップＳ３１６では、制御部１５は、ステップＳ３０３においてデューティ比を１に固定した組の中で、地絡判定を完了していない次の組の全直流電力変圧部１１のデューティ比をステップＳ３００またはステップＳ３０５における増加前のデューティ比に戻す。デューティ比を戻すと、プロセスはステップＳ３０７に戻る。
【０１０８】
ステップＳ３１７では、制御部１５は、ステップＳ３１０において記憶した判定用電流の減少量の小さな順番から減少量を足合わせ、合計が第２の所定値以上となったときに、足合わせを終了する。制御部１５は、合計が第２の所定値以上となった時点で足合わせられた減少量の判定用電流に対応する直流電力変圧部１１と、まだ足し合わせられていない残り直流電力変圧部１１のデューティ比を１のまま固定することを決定する。決定すると、プロセスはステップＳ３１８に進む。このプロセスにより、地絡電流の少ない太陽電池ストリング１８をより多く発電を継続させることができる。
【０１０９】
ステップＳ３１８では、制御部１５は、ステップＳ３１７においてデューティ比の固定を決定された直流電力変圧部１１以外の直流電力変圧部１１のデューティ比を、ステップＳ３００またはＳ３０５における増加前のデューティ比に戻す。デューティ比を戻すと、地絡判定処理を終了する。
【０１１０】
以上のような構成の第３の実施形態のパワーコンディショナ１０によっても、地絡が発生していると判定するときに、直流電力変圧部１１のデューティ比を増加させている。また、第３の実施形態のパワーコンディショナ１０によっても、デューティ比の減少に応じて判定用電流が増大するときに、デューティ比を増加させた直流電力変圧部１１が接続される太陽電池ストリング１８が地絡状態であると判定される。また、第３の実施形態のパワーコンディショナ１０によっても、地絡状態であると判定した太陽電池ストリング１８を特定する情報を作成し、出力される。また、第３の実施形態のパワーコンディショナ１０によっても、段階的にデューティ比を減少させている間に判定用電流が第１の所定値に達するとき直流電力変圧部１１のデューティ比の減少を停止する。あるいは、第３の実施形態のパワーコンディショナ１０によっても、段階的なデューティ比の減少の初期の変化段階に応じて、判定用電流の変化を検出するとき、デューティ比を１に固定する。また、第３の実施形態のパワーコンディショナ１０によっても、地絡状態でないと判定された太陽電池ストリング１８に接続される直流電力変圧部１１のデューティ比が、増加前のデューティ比に戻される。また、第３の実施形態のパワーコンディショナ１０によっても、複数の直流電力変圧部１１のデューティ比が順番に減少されるので、どの直流電力変圧部１１に接続された太陽電池ストリング１８が地絡状態であるか判定可能である。また、第３の実施形態のパワーコンディショナ１０によっても、デューティ比の増加に応じた判定用電流の減少量の小さな直流電力変圧部１１から順番に、判定用電流が第２の所定値に到達するまでデューティ比を元に戻し、それ以外の直流電力変圧部１１のデューティ比は１に固定され得る。
【０１１１】
また、第３の実施形態のパワーコンディショナ１０によれば、複数の直流電力変圧部１１を割当てた組毎にデューティ比を増加させるので、制限時間Ｔsd内に組単位での地絡判定およびデューティ比が調整され得る。
【０１１２】
また、第３の実施形態のパワーコンディショナ１０によれば、組単位でデューティ比の調整を行った後で、各組に割当てられた直流電力変圧部１１の地絡判定およびデューティ比の調整が実行され得る。
【０１１３】
本発明の一実施形態を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、第３実施形態は第２実施形態を基に実行することも可能である。
【符号の説明】
【０１１４】
１０  パワーコンディショナ
１１  直流電力変圧部
１２  直交変換部
１３  系統連系リレー
１４  地絡検出部
１５  制御部
１６  入力端子
１７  出力端子
１８  太陽電池ストリング
１９  入力キャパシタ
２０  ＤＣリアクトル
２１  スイッチング素子
２２  ダイオード
２３  中間リンクキャパシタ
２４  分電盤
【図１】
2018057149.tif 000004
【図２】
2018057149.tif 000005
【図３】
2018057149.tif 000006
【図４】
2018057149.tif 000007
【図５】
2018057149.tif 000008
【図６】
2018057149.tif 000009